(57)【要約】【課題】  操作履歴項目の時間情報を保存して同様な運転タイミングの際に、時系列的な履歴画面を提供できるオペレーション装置を提供することである。【解決手段】  表示データテーブル２にはデータ記録手段で変換されたプラント情報データが保存され、操作項目情報テーブル３には操作画面用のデータが保存され、イベントデータテーブル８にはプラントのイベントデータが保存されている。一方、プラント履歴作成手段６は過去のプラントの履歴データを時間情報とともに作成し、その時間情報を含む履歴データをプラント履歴テーブル７に格納する。運転履歴画面処理手段９は、プラント履歴テーブル７およびイベントデータテーブル８のデータより、時間情報を含んだ運転履歴画面を作成し表示装置１１に表示する。【選択図】  図１
2008186087.tif 000002
【特許請求の範囲】
【請求項１】
プラント情報を計算機で記録可能なプロセスデータとして保存する表示データテーブルと、プラントを操作するための操作画面用のデータを保存した操作項目情報テーブルと、前記表示データテーブルおよび前記操作項目情報テーブルのデータから操作画面を作成する操作項目画面作成手段と、プラントを操作した過去の履歴データを時間情報とともに作成するプラント履歴作成手段と、前記プラント履歴作成手段で作成された時間情報を含む履歴データを保存するプラント履歴テーブルと、プラントの運転操作のイベントを定義したイベントデータテーブルと、前記プラント履歴テーブルおよび前記イベントデータテーブルのデータより運転履歴画面を作成する運転履歴画面処理手段と、入力装置から入力されたオペレータからのプラントの操作入力を処理するとともに前記操作項目画面作成手段で作成された操作画面や前記運転履歴画面処理手段で作成された運転履歴画面を表示装置に表示するオペレータ入出力処理手段とを備えたことを特徴とするオペレーション装置。
【請求項２】
プラント運転モードデータを定義したプラントモード設定テーブルと、プラント運転モード別に履歴データを保存するモード別プラント履歴テーブルとを設け、前記プラント履歴作成手段は、前記プラントモード設定テーブルのデータに基づいて運転モードを判定し、前記モード別プラント履歴テーブルに履歴データを保存することを特徴とする請求項１記載のオペレーション装置。
【請求項３】
運転履歴画面の横軸に表示するイベントマーカを設定したイベント設定テーブルを設け、運転履歴画面処理手段はイベント設定テーブルのデータに基づき前記表示装置に表示する運転履歴画面の横軸にイベントマーカを設定することを特徴とする請求項１記載のオペレーション装置。
【請求項４】
前記イベントデータテーブルに定義されたイベントデータの内容を編集するイベントデータ編集手段を設けたことを特徴とする請求項１記載のオペレーション装置。
【請求項５】
現在行っているプラント運転操作の今回の履歴データを保存する今回操作履歴保存テーブルと、今回の運転履歴データの中に前記プラント履歴作成手段で判定した運転モードに一致した過去の運転履歴データがない場合には、その旨のガイダンスメッセージを出力するガイダンスメッセージ作成手段とを設けたことを特徴とする請求項２記載のオペレーション装置。
【請求項６】
前記イベントデータテーブルのイベントデータに表示先の表示装置を指定する設定情報を付加したことを特徴とする請求項５記載のオペレーション装置。
【発明の詳細な説明】
【技術分野】
【０００１】
本発明は、プラントの運転操作を行うオペレーション装置に関する。
【背景技術】
【０００２】
一般に、プラントの操作を行うオペレーション装置においては、プラントのイベントや状況にあわせ運転員が表示装置に表示された運転操作画面を見ながら入力装置から操作を行いオペレーションを行う。
【０００３】
当初は、表示装置としてＣＲＴ表示装置を使用していたので、ＣＲＴオペレーション装置と称しているが、最近は、表示装置として液晶モニタ装置が多く使用されるようになっており、その場合でも、ＣＲＴオペレーション装置と称することがあるが、以下の説明では、単にオペレーション装置と言うことにする。
【０００４】
このようなオペレーション装置としては、操作した項目を操作項目履歴データとして操作項目履歴保存テーブルに保存し、次回の操作の際に最新の操作項目履歴データを運転員へ提供するプラント運転支援装置がある（例えば、特許文献１参照）。
【特許文献１】特開平１１−１７５８６４号公報
【発明の開示】
【発明が解決しようとする課題】
【０００５】
しかし、このようなプラント運転支援装置においては、保存する履歴データは各ブレークポイントの各ステージ間の操作した操作端や、その操作端が何秒間ＯＮしたかなどであり、操作した履歴の時間的なつながりを把握することができなかった。
【０００６】
本発明の目的は、操作履歴項目の時間情報を保存して同様な運転タイミングの際に、時系列的な履歴画面を提供できるオペレーション装置を提供することである。
【課題を解決するための手段】
【０００７】
本発明のオペレーション装置は、プラント情報を計算機で記録可能なプロセスに変換するデータ記録手段と、前記データ記録手段で変換されたデータを保存する表示データテーブルと、操作画面用のデータを保存した操作項目情報テーブルと、前記表示データテーブルおよび前記操作項目情報テーブルのデータから操作画面を作成する操作項目画面作成手段と、オペレータからの入出力要求を計算機へ通知するオペレータ入出力処理手段と、過去のプラントの履歴データを時間情報とともに作成するプラント履歴作成手段と、時間情報を含む履歴データを保存するプラント履歴テーブルと、プラントのイベントを定義したイベントデータテーブルと、前記プラント履歴テーブルおよび前記イベントデータテーブルのデータより運転履歴画面を作成する運転履歴画面処理手段と、オペレータから入力を行う入力装置と、前記オペレータ入出力処理手段からの出力を表示する表示装置とを備えたことを特徴とする。
【発明の効果】
【０００８】
本発明によれば、時間情報を含む履歴データを保存するので、現在のプラント状態と同等な過去のプラント操作情報とが時系列に表示される。従って、相対的な操作時間や操作順序を参照することができ、オペレータはプラントの運転操作状態を容易に把握できる。これにより、オペレータの運転負荷を軽減できる。
【発明を実施するための最良の形態】
【０００９】
（第１の実施の形態）
図１は本発明の第１の実施の形態に係わるオペレーション装置のブロック構成図である。第１の実施の形態のオペレーション装置は、プラント情報を計算機で記録可能なプロセスに変換するデータ記録手段１と、データ記録手段１で変換されたデータを保存する表示データテーブル２と、操作画面用のデータを保存した操作項目情報テーブル３と、表示データテーブル２および操作項目情報テーブル３のデータから操作画面を作成する操作項目画面作成手段４と、オペレータからの入出力要求を計算機へ通知するオペレータ入出力処理手段５と、過去のプラントの履歴データを時間情報とともに作成するプラント履歴作成手段６と、時間情報を含む履歴データを保存するプラント履歴テーブル７と、プラントのイベントを定義したイベントデータテーブル８と、プラント履歴テーブル７およびイベントデータテーブル８のデータより運転履歴画面を作成する運転履歴画面処理手段９と、オペレータから入力を行う入力装置１０と、オペレータ入出力処理手段５からの出力を表示する表示装置１１とから構成される。
【００１０】
データ記録手段１ではプラント情報のプロセス信号ａを入力し計算機内部で記録可能なプロセス状態信号ｂに変換し、表示データテーブル２に変換されたプロセス状態信号ｂを保存する。オペレータが入力装置１０よりオペレーションを行う操作画面５０を表示要求した場合、入力装置１０はオペレータ入出力処理手段５へ操作画面５０の表示要求を通知し、オペレータ入出力処理手段５はこれを操作項目画面作成手段４へ通知する。操作項目画面作成手段４では表示画面５０の表示データを操作項目情報テーブル３より抽出すると共に表示データテーブル２より必要なプロセス状態信号ｂを抽出し操作画面用データｃを作成し、オペレータ入出力処理手段５へ操作画面データｃを出力する。オペレータはオペレータ入出力処理手段５によって表示装置１０へ出力される操作画面５０をもってプラントの運転を行う。
【００１１】
図２は表示装置１０に表示される操作画面５０の一例を示す説明図である。図２では弁の開閉を行う操作画面を示している。操作画面５０には、操作対象機器名称と操作機器の操作状態（開度）と操作ボタン（開、閉）が表示されている。オペレータによる操作は例えば、操作ボタン（開、閉）を入力装置１０により指示することにより操作を行う。
【００１２】
図３はプラント履歴テーブル７の説明図である。プラント履歴テーブル７はプラント履歴作成手段６により作成される。図３に示すように、データ記録手段１で変換されたプロセス状態信号ｂと、イベントデータテーブル８で定義されるプラントのイベントｄの成立／不成立情報ｅと、オペレータが行ったプラント操作情報ｆと、それらデータｂ、ｄ、ｅ、ｆの記録時間がわかる時間情報ｇとが履歴として保存されている。この時間情報ｇは基準時刻に対しての経過時間であり、例えばプラントの起動を行う場合は、プラントの起動操作開始時間を基準時刻として基準時刻からの経過時間を時間情報ｇとして保存する。
【００１３】
図４はイベントデータテーブル８の説明図である。イベントデータテーブル８はあらかじめプラントのプロセス状態信号ｂを用いて、プラントのイベントｄを規定したテーブルである。例えば、図４に示すイベント名称「点火」はボイラのバーナ点火のイベントであり、Ａ〜Ｄのバーナ点火がすべて完了すると、イベント名称「点火」が成立することになる。
【００１４】
次に、オペレータが入力装置１０より運転履歴画面６０を表示要求した場合、もしくはあらかじめイベントデータテーブル８で規定したイベントになった場合、運転履歴画面処理手段９は運転履歴画面６０を作成する。
【００１５】
図５は運転履歴画面６０の説明図である。運転履歴画面６０は、プラントの基準時刻を基点として時間を横軸にとって、プラント履歴テーブル７に保存された過去のプラント履歴データをプロットして作成される。図５では、履歴データとして、図３に示したプロセス状態信号ｂ、イベントｄの成立／不成立情報ｅおよびオペレータが行ったプラント操作情報ｆをプロットした場合のものを示している。横軸上には今回のプラント基準時刻（例ではプラント起動）からの経過時間を表す時間マーカＭ１を表示する。そして、オペレータ入出力処理手段５は運転履歴画面６０を表示装置１０へ出力する。
【００１６】
第１の実施の形態によれば、現在のプラント状態と同等な過去のプラント操作情報（過去のプラントの状態、イベントの成立／不成立、操作履歴）を運転履歴画面上に時系列に表示されるので、例えば、あと何時間後に次の弁の開閉操作があるなどの相対的な操作時間や操作順序を参照することができる。これにより、オペレータがプラント運転操作状態を把握することを助勢することができ、オペレータの運転負荷を軽減することができる。
【００１７】
（第２の実施の形態）
図６は本発明の第２の実施の形態に係わるオペレーション装置のブロック構成図である。この第２の実施の形態は、図１に示した第１の実施の形態に対し、プラント運転モードデータを定義したプラントモード設定テーブル１２と、プラント運転モード別に履歴データを保存するモード別プラント履歴テーブル１３とを追加して設け、プラント履歴作成手段６は、プラントモード設定テーブル１２のデータに基づいて運転モードを判定し、モード別プラント履歴テーブル１３に履歴データを保存するようにしたものである。図１と同一要素には同一符号を付し重複する説明は省略する。
【００１８】
プラント履歴作成手段６はプラントの履歴を保存する際に、プラントモード設定テーブル１２にて定義されるプラントの状態でモード判定を行い、判定結果に従いモード別プラント運転履歴テーブル１３に保存先を切り替えて履歴データを保存する。つまり、プラント履歴作成手段６はモード判定機能付となっている。
【００１９】
図７はプラントモード設定テーブル１２の一例を示す説明図である。プラントモード設定テーブル１２には、プラントの運転モードが設定される。図７では、プラント起動モードのうちの「コールド」モードを示している。すなわち、「コールド」モードが成立するための条件が設定され、起動ＰＢがＯＮ、ＭＦＴリセットＯＮ、タービンコールド選択ＯＮで「コールド」モードが成立する。
【００２０】
図８は、モード別プラント履歴テーブル１３の一例を示す説明図である。モード別プラント履歴テーブル１３はプラントの運転モード毎に複数個のテーブルを有している。図８では起動モード（コールド）と停止モード（ボイラバンキング）との二つの運転モードを示している。例えば、起動モードには、タービンの温度により、起動モード「ベリーホット」、起動モード「ホット」、起動モード「コールド」等があるので、これらは別の起動モードとして別のテーブルとしてモード別プラント履歴テーブル１３内に保存する。
【００２１】
次に、オペレータが入力装置１０より運転履歴画面６０を表示要求した場合、もしくはあらかじめイベントデータテーブル８で規定したイベントになった場合、プラント履歴作成手段６はプラントモード設定テーブル１２のデータに基づき、現在のプラントモードを判定する。そして、プラントモード毎に保存されたモード別プラント履歴テーブル１３から、判定したプラントモードと一致した履歴テーブルを選択し、選択した履歴データをプラント履歴テーブル７に入れる。
【００２２】
運転履歴画面処理手段９では、前述したように、プラント履歴テーブル７より、プロセス状態信号ｂ、イベントｄの成立／不成立情報ｅおよびオペレータが行ったプラント操作情報ｆを、プラントの基準時刻を基点として時間を横軸にとって過去のプラント履歴情報を表示する運転履歴画面６０を作成する。この場合、横軸上には今回のプラント基準時刻（例ではプラント起動）からの経過時間を表す時間マーカＭ１を設定する。そして、オペレータ入出力処理手段５により運転履歴画面６０を表示装置１０へ出力する。
【００２３】
第２の実施の形態によれば、第１の実施の形態に効果に加え、現在のプラント運転モードと一致した履歴データから過去のプラント操作情報（過去のプラントの状態、イベントの成立／不成立、操作履歴）をオペレータへ時系列的に提供できるので、オペレータはよりプラントモードにあった正確な次の操作などを判断することができるようになる。
【００２４】
（第３の実施の形態）
図９は本発明の第３の実施の形態に係わるオペレーション装置のブロック構成図である。この第３の実施の形態は、図１に示した第１の実施の形態に対し、運転履歴画面６０の横軸に表示するイベントマーカを設定したイベント設定テーブル１４を追加して設け、運転履歴画面処理手段９はイベント設定テーブル１４のデータに基づき表示装置１１に表示する運転履歴画面の横軸にイベントマーカを設定するようにしたものである。図１と同一要素には同一符号を付し重複する説明は省略する。
【００２５】
オペレータが入力装置１０より運転履歴画面６０を表示要求した場合、もしくはあらかじめイベントデータテーブル８で規定したイベントになった場合、運転履歴画面処理手段９では、プラント履歴テ−ブル７に保存されたプロセス状態信号ｂ、オペレータが行ったプラント操作情報ｆ及びイベント設定テーブル１４より運転履歴画面６０を作成する。そして、表示装置１１にその運転履歴画面６０を表示する。
【００２６】
イベント履歴テーブル１４にはイベント名称が列記される。運転履歴画面処理手段９は、オペレータが入力装置１０より運転履歴画面６０を表示要求した場合、もしくはあらかじめイベントデータテーブル８で規定したイベントになった場合、プラント履歴テ−ブル７に保存されたプロセス状態信号ｂ、オペレータが行ったプラント操作情報ｆ及びイベント設定テーブル１４より運転履歴画面６０を作成する。
【００２７】
その運転履歴画面６０の作成の際、運転履歴画面処理手段９は、イベント設定テーブル１４で設定したイベント名称と、プラント履歴テーブル７のイベントｄの成立／不成立情報ｅで成立したイベント名称とが一致した場合に、そのイベントマーカをプラントの基準時刻からの経過時間より横軸上にプロットする。また現在のプラント基準時刻からの経過時間を表すマーカも横軸上にプロットする。そして、表示装置１１にその運転履歴画面６０を表示する。
【００２８】
図１０は、第３の実施の形態における表示装置１１に表示された運転履歴画面６０の説明図である。図５では、履歴データとして、プロセス状態信号ｂ、イベントｄの成立／不成立情報ｅおよびオペレータが行ったプラント操作情報ｆをプロットした場合のものを示している。時間マーカＭ１に加え、３個のイベントマーカＭ２がプラントの基準時刻からの経過時間より横軸上に表示されている。すなわち、イベントとして、ボイラ点火、タービン通気（タービンに蒸気を通気すること）、並列（発電機を電力系統に並入すること）が示されている。
【００２９】
第３の実施の形態によれば、イベント間のプラント操作情報（プラント過去のプラント状態、操作履歴）と、イベントとを分けて表示するので、オペレータへ明確にイベント間の操作情報を提供できる。従って、操作の判断の誤りなどを軽減することができる。
【００３０】
（第４の実施の形態）
図１１は本発明の第４の実施の形態に係わるオペレーション装置のブロック構成図である。この第４の実施の形態は、図１に示した第１の実施の形態に対し、イベントデータテーブル８に定義されたイベントデータの内容を編集するイベントデータ編集手段１５を追加してを設けたものである。図１と同一要素には同一符号を付し重複する説明は省略する。
【００３１】
オペレータが入力装置１０よりイベント番号を入力しイベントデータ編集画面を表示要求した場合に、オペレータ入出力処理手段５からイベントデータ編集手段１５へイベントデータ編集要求が通知される。イベントデータ編集手段１５はイベント番号が入力されると、そのイベント番号に基づきイベントデータテーブル８よりイベントを複数のプロセス状態で定義したタイミングデータｈを抽出する。そして、イベントデータ表示用画面データｉに変換し、これをオペレータ入出力処理手段５へ渡す。オペレータ入出力処理手段５はイベント表示画面用データｉをイベントデータ編集画面として表示装置１１へ出力する。
【００３２】
図１２は表示装置１１に表示されたイベントデータ編集画面の一例を示す説明図である。図１２では、イベント番号が「０１」でイベント名称が「点火」であるものを示している。
【００３３】
オペレータがイベントのタイミングデータの編集を行う場合は、表示装置１１に表示された画面を見ながら、入力装置１０よりタイミングデータの編集を行い保存要求する。保存要求がオペレータ入出力処理手段５よりイベントデータ編集手段１５に通知され、イベントデータ編集手段１５は編集されたタイミングデータｈ’をタイミングデータｈとして保存する。
【００３４】
第４の実施の形態によれば、あらかじめ登録したイベントタイミングだけでなくプラント状態に応じた設定ができるようになるので、より正確なタイミングでの操作履歴画面の自動呼出しや、操作履歴画面の表示内容の充実が可能となる。従って、プラント状態に即したオペレーションが可能となる。
【００３５】
（第５の実施の形態）
図１３は本発明の第５の実施の形態に係わるオペレーション装置のブロック構成図である。この第５の実施の形態は、図６に示した第２の実施の形態に対し、現在行っているプラント運転操作の今回の履歴データを保存する今回操作履歴保存テーブル１６と、今回の運転履歴データの中にプラント履歴作成手段６で判定した運転モードに一致した過去の運転履歴データがない場合には、その旨のガイダンスメッセージを出力するガイダンスメッセージ作成手段１７とを追加して設けたものである。図６と同一要素には同一符号を付し重複する説明は省略する。
【００３６】
プラント履歴作成手段６はプラントの履歴を保存する際に、プラントモード設定テーブル１２にて定義されるプラントの状態でモード判定を行い、判定結果に従いモード別プラント運転履歴テーブル１３に保存先を切り替えて履歴データを保存する。つまり、プラント履歴作成手段６はモード判定機能付となっている。また、プラント履歴作成手段６は、現在行っているプラントの起動・停止の操作履歴を今回操作履歴保存テーブル１６へ保存する。
【００３７】
図１４は第５の実施の形態における今回操作履歴保存テーブル１６の一例を示す説明図である。図１４に示すように、今回操作履歴保存テーブル１６には、プラント履歴作成手段６により、現在行っているプラントの起動・停止の操作履歴が順次保存される。
【００３８】
オペレータが入力装置１０より運転履歴画面６０を表示要求した場合、もしくはあらかじめイベントデータテーブル７で規定したイベントになった場合、ガイダンスメッセージ作成手段１７は、プラント履歴作成手段６より現在の運転モードと一致した運転履歴データｊと今回操作履歴保存データｋとを抽出する。
【００３９】
次に、過去の運転履歴データｊから現在のプラント基準時刻からの経過時間に相当する過去の運転履歴データｊ’を抽出し、今回の操作履歴保存データｋと操作情報ｆについて比較を行い、過去の運転履歴データｊ’で操作した操作項目で今回の操作履歴保存データで操作履歴がないものを検索する。もし該当する操作項目があった場合にはガイダンスメッセージｌを作成する。
【００４０】
図１５は、ガイダンスメッセージ作成手段１７で作成されるガイダンスメッセージの一例の説明図である。図１５に示すように、過去の運転履歴データｊ’で操作した操作項目にはあるが、今回の操作履歴保存データに操作履歴がない操作項目について、その操作項目の操作が必要ないかの確認のガイダンスメッセージｌを出力する。このガイダンスメッセージｌは運転履歴画面作成手段９にて画面データに変換され、オペレータ入出力処理手段５より表示装置１１に出力される。
【００４１】
図１６は、ガイダンスメッセージ作成手段１７の処理内容を示すフローチャートである。まず、過去の運転履歴データｊより、現在の経過時間に相当する履歴データｊ’を抽出する（Ｓ１）。抽出した履歴データｊ’と今回の操作履歴保存データｋとを比較する（Ｓ２）。この比較は操作情報ｆについてのみ行われる。そして、比較結果に差異があるかどうかを判断し（Ｓ３）、差異がない場合には処理を終了する。差異がある場合には、ガイダンスメッセージｌを作成し（Ｓ４）、そのガイダンスメッセージｌを表示装置１１に表示する（Ｓ５）。
【００４２】
第５の実施の形態によれば、過去の運転履歴に基づいて同じ運転モードでの操作対象項目の操作の漏れなどを自動でオペレータへ通知することが可能となり、運転操作の操作漏れなどをなくすことができる。
【００４３】
（第６の実施の形態）
図１７は本発明の第６の実施の形態に係わるオペレーション装置のブロック構成図である。この第６の実施の形態は、図１３に示した第５の実施の形態に対し、複数の表示装置１１ａ〜１１ｃを設け、イベントデータテーブル８のイベントデータに表示先の表示装置１１ａ〜１１ｃを指定する設定情報を付加したものである。図１３と同一要素には同一符号を付し重複する説明は省略する。
【００４４】
図１７において、オペレーション装置は３台の表示装置１１ａ〜１１ｃを有し、イベントデータテーブル８には、イベント発生時に運転履歴画面６０及びガイダンスメッセージｌの表示先を指定する設定情報が記憶されている。なお、図１７では、３台の表示装置１１が設けられた場合を示しているが、２台以上の複数台の表示装置１１を設けることが可能である。
【００４５】
図１８は、第６の実施の形態におけるイベントデータテーブル８の一例を示す説明図である。図１８に示すように、イベントデータテーブル８には、イベント番号、イベント名称、イベントを定義するプロセス状態、イベント発生時に運転履歴画面６０及びガイダンスメッセージｌを表示する表示装置を指定するための設定情報が格納される。
【００４６】
オペレータ入出力処理手段５は、イベント発生時に運転履歴画面処理手段９に画面データの要求を通知する。運転履歴画面処理手段９は、画面データの要求通知を受けると、プラント履歴テーブル７より運転履歴データ（イベント成立／不成立情報ｅ、操作情報ｆ、時間情報ｇ）を抽出し、イベントデータテーブル８よりイベントデータｄと表示先の表示装置の設定情報を抽出し、また、ガイダンスメッセージ作成手段１７よりガイダンスメッセージｌを抽出し、画面データを作成する。オペレータ入出力処理手段５は指定された表示装置に運転履歴画面６０とガイダンスメッセージｌとを表示する。
【００４７】
第６の実施の形態によれば、自動割込みにより運転履歴画面６０や、ガイダンスメッセージｌが表示される場合、あらかじめ指定した表示装置に表示されるので、オペレータがよく使う表示装置などを指定することにより、より迅速にオペレーションを行うことが可能となる。
【図面の簡単な説明】
【００４８】
【図１】本発明の第１の実施の形態に係わるオペレーション装置のブロック構成図。
【図２】本発明の第１の実施の形態における表示装置に表示される操作画面の一例を示す説明図。
【図３】本発明の第１の実施の形態におけるプラント履歴テーブルの説明図。
【図４】本発明の第１の実施の形態におけるイベントデータテーブルの説明図。
【図５】本発明の第１の実施の形態における表示装置に表示される運転履歴画面の一例を示す説明図。
【図６】本発明の第２の実施の形態に係わるオペレーション装置のブロック構成図。
【図７】本発明の第２の実施の形態におけるプラントモード設定テーブルの一例を示す説明図。
【図８】本発明の第２の実施の形態におけるモード別プラント履歴テーブルの説明図。
【図９】本発明の第３の実施の形態に係わるオペレーション装置のブロック構成図。
【図１０】本発明の第３の実施の形態における表示装置に表示された運転履歴画面の説明図。
【図１１】本発明の第４の実施の形態に係わるオペレーション装置のブロック構成図。
【図１２】本発明の第４の実施の形態における表示装置に表示されたイベントデータ編集画面の一例の説明図。
【図１３】本発明の第５の実施の形態に係わるオペレーション装置のブロック構成図。
【図１４】本発明の第５の実施の形態における今回操作履歴保存テーブルの一例を示す説明図。
【図１５】本発明の第５の実施の形態におけるガイダンスメッセージ作成手段で作成されるガイダンスメッセージの一例の説明図。
【図１６】本発明の第５の実施の形態におけるガイダンスメッセージ作成手段の処理内容を示すフローチャート。
【図１７】本発明の第６の実施の形態に係わるオペレーション装置のブロック構成図。
【図１８】本発明の第６の実施の形態におけるイベントデータテーブルの一例を示す説明図。
【符号の説明】
【００４９】
１…データ記録手段、２…表示データテーブル、３…操作項目情報テーブル、４…操作項目画面作成手段、５…オペレータ入出力処理手段、６…プラント履歴作成手段、７…プラント履歴テーブル、８…イベントデータテーブル、９…運転履歴画面処理手段、１０…入力装置、１１…表示装置、１２…プラントモード設定テーブル、１３…モード別プラント履歴テーブル、１４…イベント設定テーブル、１５…イベントデータ編集手段、１６…今回操作履歴保存テーブル、１７…ガイダンスメッセージ作成手段、５０…操作画面、６０…運転履歴画面
【図１】
2008186087.tif 000003
【図２】
2008186087.tif 000004
【図３】
2008186087.tif 000005
【図４】
2008186087.tif 000006
【図５】
2008186087.tif 000007
【図６】
2008186087.tif 000008
【図７】
2008186087.tif 000009
【図８】
2008186087.tif 000010
【図９】
2008186087.tif 000011
【図１０】
2008186087.tif 000012
【図１１】
2008186087.tif 000013
【図１２】
2008186087.tif 000014
【図１３】
2008186087.tif 000015
【図１４】
2008186087.tif 000016
【図１５】
2008186087.tif 000017
【図１６】
2008186087.tif 000018
【図１７】
2008186087.tif 000019
【図１８】
2008186087.tif 000020